(57)【要約】【課題】本発明は、撓みに起因した外観の不具合の発生を防止できつつも、設置手間を発生さない水処理施設用覆蓋を提供することを目的とする。【解決手段】水処理施設用覆蓋１は、梁部材３によって支持された天板２が水槽又は水路の上部に形成された開口部の一部を覆うものである。そして、水処理施設用覆蓋１には、梁部材３の構成部材たる主梁部５が備えられている。主梁部５は、ほぼ水平方向に延びた第１主梁１２と、上方に向けて山形状に傾斜した第２主梁１３を有している。第２主梁１３は、第１主梁１２の長手方向側面側に配され、さらに天板２を固定するべく、その上部の少なくとも一部を第１主梁１２よりも上方に露出させた状態にして、第１主梁１２の長手方向側面側に面接合されている。【選択図】図３
2014079720.tif 000002
【特許請求の範囲】
【請求項１】
梁によって支持された天板が水槽又は水路の上部に形成された開口の一部又は全部を覆う水処理施設用覆蓋であって、
前記梁は、主梁部を有し、
主梁部は、ほぼ水平方向に延びた第１主梁と、上方に向けて山形状に傾斜した第２主梁とを有し、
第２主梁は、第１主梁によって支持されるものであり、さらに当該第２主梁は、前記天板を固定するべく、その上部の少なくとも一部を第１主梁よりも上方に露出させた状態にして、第１主梁の長手方向側面側に固定されていることを特徴とする水処理施設用覆蓋。
【請求項２】
第２主梁は、直線状の２つの板状部材の端部を突き合わせた構造であり、少なくとも当該板状部材の上辺側が山形状を呈していることを特徴とする請求項１に記載の水処理施設用覆蓋。
【請求項３】
第１主梁と第２主梁は、側面同士を当接して接着剤によって面接合されていることを特徴とする請求項１又は２に記載の水処理施設用覆蓋。
【請求項４】
第２主梁の突き合わせ部には、２つの板状部材同士の継ぎ目を補強する継ぎ目補強材が接続されていることを特徴とする請求項１〜３のいずれかに記載の水処理施設用覆蓋。
【請求項５】
第１主梁に第２主梁を固定した主梁部を２組備え、その２組の主梁部の長手方向側面側を対向させた状態で、一定間隔離反して形成されており、当該間隔には、主梁部の長手方向に対して交差する方向に延びた小梁が設けられていることを特徴とする請求項１〜４のいずれかに記載の水処理施設用覆蓋。
【請求項６】
第１主梁の長手方向側面の下部寄りに補強梁を固定したことを特徴とする請求項１〜５のいずれかに記載の水処理施設用覆蓋。
【発明の詳細な説明】
【技術分野】
【０００１】
本発明は、浄水施設や下水処理施設等の水処理施設に設置される覆蓋に関するものである。
【背景技術】
【０００２】
従来、水処理施設には、施設の目的や用途に応じて、その水路や水槽等に覆蓋が設けられている。例えば、浄水施設における水槽等（ろ過池など）の覆蓋は、主に水槽内における藻類の発生防止や、鳥類の糞やゴミの飛来防止等を目的として設置されている。また、下水処理施設における水槽等（沈砂池など）の覆蓋は、主に防臭や水槽内への転落防止を目的として設置されている。
【０００３】
ところで、この種の覆蓋は、水槽等の内部の状態（濾過状態や沈殿状態）を確認する場合や、水槽内部の保守点検を行う場合、あるいは一般の見学者が水処理施設内を見学する場合などがあり、移動させて水槽等を開放する必要がある。特に、見学者が施設内を見学する場合には、対象となる水槽等が一時的に開放されるだけなので、覆蓋は容易に開閉できる構成が望ましい。そこで、近年においては、この種の覆蓋は、この種の作業の作業性を向上させるべく、コンクリート製のものから樹脂製のものへと推移してきている。すなわち、近年の覆蓋は、樹脂成形体の採用によって軽量化が進み、作業者の負担の軽減が図られている。
【０００４】
また、近年においては、浄水施設や下水処理施設などの設備の大型化が進んでおり、それに伴い、覆蓋自身も大型化（少なくとも一辺の長さが６ｍ以上）のものが製造される傾向にある。一方、樹脂製の覆蓋は、大型化によって、覆蓋の天板が自重やクリープ現象（例えば、長期に渡って掛かる積雪等の荷重）などの影響を受け易くなる懸念があった。すなわち、この種の覆蓋は、大型化された水槽等に採用された場合、天板が自重等によって大きく撓み、天板の中央付近に下方に凹んだ窪みを形成してしまうおそれがあった。さらに、このような状態で、雨が降ったり、風が吹いたりすると、天板に形成された窪みに土砂やゴミが堆積し、美観を損なってしまう問題が懸念されていた。
【０００５】
そのため、この種の覆蓋は、天板の裏面に梁を設け、その天板の撓みに抗する補強が施された構成が一般化している。例えば、その技術が特許文献１に開示されている。
しかしながら、大型化した樹脂製の覆蓋を、単に梁によって補強したとしても、天板における経時的な撓みの進行を十分に阻止することはできず、根本的な解決策とはならなかった。
【０００６】
そこで、最近の市場では、前記した梁補強が施されると共に、天板をアーチ型や山形等に配置した覆蓋が提供されている。この種の覆蓋は、梁補強のみのものに比べると、撓みの影響が少なく、大型化に起因した不具合を効果的に抑えることができる。特に、山形状に配置した天板を備えた覆蓋は、直線状に成形した部材を組み合わせて生産できるため、アーチ型のものに比べると、前記効果に加えて、生産効率が高く、比較的安価に提供できるという利点も備えている。
例えば、このような山形状の天板を備えた覆蓋が、特許文献２に開示されている。
【先行技術文献】
【特許文献】
【０００７】
【特許文献１】特開２００１−１４０３３１号公報
【特許文献２】特開２００８−２４３４０号公報
【発明の概要】
【発明が解決しようとする課題】
【０００８】
しかしながら、従来の山形状の覆蓋は、構造上、重力による水平方向に働く分力（以下、水平分力という）を外部に作用させてしまうため、単純に、水槽等の上部に置いて設置するということができなかった。すなわち、この種の覆蓋を採用した場合、設置部に、覆蓋の水平分力に耐え得る強度を備えた固定部材（例えば断面形状「Ｌ」字型の金属製部材）を設ける必要があり、またその固定部材に当該覆蓋を確実に固定する必要性があったため、覆蓋の設置に相当な手間を要していた。
【０００９】
そこで、本発明では、従来技術の問題点に鑑み、撓みに起因した外観の不具合の発生を防止できつつも、設置手間を発生さない水処理施設用覆蓋を提供することを課題とする。
【課題を解決するための手段】
【００１０】
上記課題を解決するべく提供される請求項１に記載の発明は、梁によって支持された天板が水槽又は水路の上部に形成された開口の一部又は全部を覆う水処理施設用覆蓋であって、前記梁は、主梁部を有し、主梁部は、ほぼ水平方向に延びた第１主梁と、上方に向けて山形状に傾斜した第２主梁とを有し、第２主梁は、第１主梁によって支持されるものであり、さらに当該第２主梁は、前記天板を固定するべく、その上部の少なくとも一部を第１主梁よりも上方に露出させた状態にして、第１主梁の長手方向側面側に固定されていることを特徴とする水処理施設用覆蓋である。
【００１１】
本発明の水処理施設用覆蓋は、ほぼ水平方向に延びた第１主梁に、山形状に傾斜した第２主梁を支持させ、その第２主梁に天板を固定した構成にしたため、第２主梁及び天板の自重等によって働く水平方向の分力（水平分力）を、全て第１主梁に作用させることができる。つまり、本願発明の水処理施設用覆蓋は、外部に水平分力を作用させない構成であるため、第１主梁のみで形成された単純梁構造と同様の構造とみなすことができる。そして、本発明では、単純梁構造でありつつも、第２主梁で形成した傾斜部を確保することができる。このため、本発明によれば、天板に撓みが発生したとしても、第２主梁の傾斜に沿うようにして、堆積し得る土砂等を除去することができるため、土砂等によって外観を損なうことがない。さらに、本発明では、従来の山形状の覆蓋のように、設置に際して、水平分力を考慮する必要性がないため、設置の手間が殆ど発生しない。
【００１２】
このように、請求項１に記載の発明は、上部に山形の傾斜部を設けつつも、単純梁構造にしたところに特徴がある。そして、そのような構造にするべく、本発明では、第１主梁と第２主梁を用いて主梁部が形成されている。例えば、第１主梁と第２主梁に、直線状の板状部材を用いることができ、それによって主梁部を形成することができる。しかしながら、単純に考えれば、第１主梁と第２主梁を一体的にして、ホームベースのような五角形に成形した方が、生産効率が高く、合理的であるようにも思える。ところが、実際の生産現場においては、所定の規格の板体（例えば、部材厚が一定の長方形状の板体）が用いられ、その板体を所望の大きさにカットして生産が行われるため、五角形のような多角形状にカットすれば、板体の残スペースが歪な形状となり、歩留まりが著しく悪くなるおそれがあった。したがって、本発明では、所定の規格の板体を用いて主梁部を生産する場合において、別々にカットされた第１主梁と第２主梁を組み合わせて使用することができるため、前記したように、多角形状にカットされた主梁を使用するような場合に比べて、生産上の歩留まりを高めることができる。
【００１３】
また、本発明は、第２主梁を、その上部の少なくとも一部が第１主梁よりも上部に露出した状態で、第１主梁の長手方向側面側に固定したため、経済的且つ合理的な構造を有した主梁部を形成することが可能である。すなわち、水処理施設用覆蓋の設置状態を基準に、第１主梁と第２主梁の合計高さ（部材の合計幅）を、撓みの影響が大きくなる箇所だけに特化して増大させることができる。つまり、本発明では、撓みの影響が大きくなる箇所の断面係数（一般的に、断面が長方形であれば高さの２乗に比例する）を重点的に増大させることができる。これにより、本発明では、従来のように、断面係数を均一にするべく、高さ成分（部材幅）にほぼ変化がない部材を採用して主梁部を構成する場合に比べると、主梁部に要する部材量を大幅に削減することが可能となる。すなわち、本発明によれば、経済的且つ合理的な構造の水処理施設用覆蓋を提供することが可能である。
【００１４】
請求項２に記載の発明は、第２主梁は、直線状の２つの板状部材の端部を突き合わせた構造であり、少なくとも当該板状部材の上辺側が山形状を呈していることを特徴とする請求項１に記載の水処理施設用覆蓋である。
【００１５】
かかる構成によれば、予め山形状に成形した部材で第２主梁を形成するのではなく、直線状の板状部材を組み合わせて山形状の第２主梁を形成するため、山形の角度に応じた複数の金型等を用意することなく、目的等に応じた山形の角度に変更することができる。
【００１６】
請求項３に記載の発明は、第１主梁と第２主梁は、側面同士を当接して接着剤によって面接合されていることを特徴とする請求項１又は２に記載の水処理施設用覆蓋である。
【００１７】
かかる構成によれば、第１主梁と第２主梁を、側面同士を当接した状態で、接着剤によって面接合したため、単にピンやボルト等でスポット的に接合した場合よりも、高い接合強度を発揮させることができる。
【００１８】
ところで、山形状に突き合わせた板状部材の継ぎ目には、板状部材に作用する重力によって、圧縮方向（突き合わせ方向）の力が作用する。すなわち、この状態の第２主梁は、他の外力等が作用しなければ、板状部材同士が離反してしまうおそれはほぼない。しかしながら、保守点検等を行う場合において、板状部材同士の継ぎ目にその継ぎ目に沿った方向の力（せん断力）等が掛かる可能性は否定できない。
そこで、そのような可能性に対応させるべく提供される請求項４に記載の発明は、第２主梁の突き合わせ部には、２つの板状部材同士の継ぎ目を補強する継ぎ目補強材が接続されていることを特徴とする請求項１〜３のいずれかに記載の水処理施設用覆蓋である。
【００１９】
かかる構成によれば、第２主梁を形成する２つの板状部材同士の継ぎ目を、別部材たる継ぎ目補強材で補強するため、継ぎ目における継ぎ目に沿った方向に対する強度（せん断強度）を高めることができる。また、継ぎ目補強材は、２つの板状部材同士が離反方向に移動してしまう不具合を抑制する手段としても機能させることができる。
【００２０】
請求項５に記載の発明は、第１主梁に第２主梁を固定した主梁部を２組備え、その２組の主梁部の長手方向側面側を対向させた状態で、一定間隔離反して形成されており、当該間隔には、主梁部の長手方向に対して交差する方向に延びた小梁が設けられていることを特徴とする請求項１〜４のいずれかに記載の水処理施設用覆蓋である。
【００２１】
かかる構成によれば、２組の主梁部の間に、主梁部の長手方向に対して交差方向に延びた小梁を設けたため、主梁部に生じる得るねじれ方向の力を抑制することができる。これに伴い、第２主梁に固定された天板に生じ得るねじれ方向の力の影響を軽減することができる。したがって、本発明によれば、主梁部や天板に、ねじれ方向の力が過剰に掛かってしまうおそれがない。
【００２２】
ここで、仮に、第１主梁と第２主梁に直線状の板状部材を用いて、その第１主梁の長手方向側面に山形状の第２主梁を固定した場合を想定すると、水処理施設用覆蓋を設置した状態を基準に、第２主梁は、主に第１主梁の上部側に集中した配置となる。つまり、前記条件に基づいて主梁部を形成した場合、第１主梁の下部側においては、第２主梁が重なる領域が殆どなくなる。その結果、第１主梁の下部側では、その上部側よりも、ねじれ方向の力に対抗する強度が弱くなる。
そこで、かかる不具合を解消するべく提供される請求項６に記載の発明は、第１主梁の長手方向側面の下部寄りに補強梁を固定したことを特徴とする請求項１〜５のいずれかに記載の水処理施設用覆蓋である。
【００２３】
かかる構成によれば、第１主梁の長手方向側面の下部寄りに補強梁を固定したため、第１主梁における、ねじれ方向の力に抗する強度を高めることができる。
【発明の効果】
【００２４】
本発明の水処理施設用覆蓋は、単純梁構造でありつつも、その上部に傾斜部が確保されているため、水平分力を考慮する必要性がなく、設置の手間が殆ど発生しない上、土砂等が天板に堆積して外観を損なうことがない。また、主梁部を、あえて別々に生産した第１主梁と第２主梁とを組み合わせて形成したため、生産上の歩留まりを向上させることができる。
【図面の簡単な説明】
【００２５】
【図１】本発明の実施形態に係る水処理施設用覆蓋を水槽の上部に設置した状態を示す斜視図である。
【図２】図１の水処理施設用覆蓋を示す斜視図である。
【図３】図２の水処理施設用覆蓋を示す分解斜視図である。
【図４】本発明の実施形態に係る水処理施設用覆蓋を水槽の上部に設置した状態を示す正面図である。
【図５】第２主梁形成体を示す側面図である。
【図６】２つの主梁部の位置関係を示す斜視図である。
【図７】第１主梁と第１小梁との位置関係を示す斜視図である。（天板及び副梁部は省略）
【図８】第２主梁と第２小梁との位置関係を示す斜視図である。（天板及び副梁部は省略）
【図９】主梁部と補強梁部との位置関係を示す斜視図である。（天板及び副梁部は省略）
【図１０】主梁部と小梁部と補強梁部との位置関係を示す説明図である。
【発明を実施するための形態】
【００２６】
以下に、本発明の実施形態に係る水処理施設用覆蓋について説明する。
本実施形態の水処理施設用覆蓋１は、浄水場や下水場等の水処理施設に使用されるもので、図１に示すように、それらの施設に設けられた沈殿池等の水槽３０（図４）の開口部３１（図４）の上側を覆うように設置されるものである。より詳細には、本実施形態の水処理施設用覆蓋１は、１つの水槽３０に対して、同一構造の覆蓋１を複数並べて、その開口部３１を閉塞状態にするものである。
【００２７】
水処理施設用覆蓋１は、図２、３に示すように、外観が山形状を呈しており、主要な構成部材として、天板２と、梁部材３とを有する。
【００２８】
天板２は、主に水槽３０に向かい合うような姿勢で、水槽３０の開口部３１を閉塞する部分であり、平面視した形状が長方形を呈している。そして、本実施形態では、この天板２に、ガラス製の長繊維で強化されたポリウレタン発泡樹脂（ＦＦＵ：Fiber reinforced Foamed Urethane）を用いて成形されたものが採用されている。なお、ここで言う「ＦＦＵ」は、薄肉の繊維強化樹脂発泡体たる積層板を、所定の厚みに達するまで積層して形成されたポリウレタン発泡樹脂のことである。
【００２９】
また、天板２は、長繊維の配向が、当該天板２の長手方向に向くように揃えられている。すなわち、天板２は、その長手方向と交差方向に作用する力の曲げモーメントに対する剛性、つまり撓みに対する剛性が強化された構造である。また、ＦＦＵ製の天板２は、金属やコンクリート製の覆蓋等に比べて、十分に軽量化されており、さらに耐腐食性が高い性質を兼ね備えている。
なお、本実施形態では、１つの水処理施設用覆蓋１に対して、２枚の天板２が使用されている。
【００３０】
梁部材３は、水処理施設用覆蓋１の骨格を担う部材であり、主梁部５と、副梁部７と、小梁部１０と、補強梁部１１とで構成されている。なお、梁部材３は、前記したＦＦＵで構成されており、いずれの梁部５、７、１０、１１も、その長繊維の配向が、各部材の長手方向に揃えられている。
【００３１】
主梁部５は、主に天板２の支持体として機能する部材であり、土台としての機能を担う第１主梁１２と、天板２が直接的に固定される第２主梁１３とを有する。
【００３２】
第１主梁１２は、直線状に延びた長尺状の第１主梁形成体（板状部材）２０により構成されており、その長手方向の長さの全長（以下、単に全長という）が、図４に示す水処理施設用覆蓋１を水槽３０の上部に設置した状態を基準に、その水槽３０の開口部３１の一辺（水処理施設用覆蓋１と同方向に延びる開口部の一辺）よりも若干長くなるように設計されている。すなわち、第１主梁１２は、水槽３０の上部に設置した状態において、その長手方向両端部側の一定範囲が水槽３０の開口部３１から逸脱する程度の長さを有する。
なお、本実施形態では、１つの水処理施設用覆蓋１に対して、２本の第１主梁１２が使用されている。
【００３３】
第２主梁１３は、図３に示すように、直線状に延びた長尺状の第２主梁形成体（板状部材）２１、２２を２本有し、その第２主梁形成体２１、２２の長手方向一方の端部同士を突き合わせて、接着剤等で接合して形成されている。２本の第２主梁形成体２１、２２は、いずれも同一の大きさ及び形状であるため、以下においては、一方のみを説明し、他方の説明を省略する。
【００３４】
第２主梁形成体２１は、前記したように、直線状に延びた長尺状のものであるが、その長手方向長さの全長（以下、単に全長という）が、第１主梁１２の全長よりも短く設定されている。具体的には、第２主梁形成体２１の全長は、第１主梁１２の全長の概ね１／２倍であり、より詳細には、図４に示すように、２つの第２主梁形成体２１、２２を端部で突き合わせた状態におけるその全長が、第１主梁１２の全長と同一となるように設計されている。
【００３５】
また、第２主梁形成体２１は、図５に示すように、側面視した形状が平行四辺形を呈している。すなわち、本実施形態の第２主梁形成体２１は、長手方向に延びる辺（以下、長手側辺という）ｆに対して、短手方向に延びる辺（以下、短手側辺という）ｇが、若干傾斜している。具体的には、その短手側辺ｇは、長手側辺ｆに対して直交した方向から一定の勾配（例えば２〜３°の勾配）で傾いている。これにより、図４に示すように、第２主梁形成体２１、２２は、端部同士を突き合わせたときに、長手側辺ｆが前記一定の勾配で傾斜した山形状の姿勢を呈する。そして、その端部同士の突き合わせ部に、接着剤等を塗布して、第２主梁形成体２１、２２同士を連結している。
なお、本実施形態では、１つの水処理施設用覆蓋１に対して、２本の第２主梁形成体２１、２２によって形成された第２主梁１３が２組使用されている。
【００３６】
副梁部７は、２本の主梁部５ａ、５ｂを繋ぐものであり、副梁形成体１５により構成されている。副梁形成体１５は、正面視した形状が長方形を呈した板体であり、その長手方向長さの全長（単に、全長という）が、前記した第１主梁１２や第２主梁の全長よりも短く設計されている。また、副梁形成体１５は、水処理施設用覆蓋１を設置した状態を基準に、その高さが、主梁部５の第１主梁１２と同一の高さとなるように設計されている。
なお、本実施形態では、１つの水処理施設用覆蓋１に対して、２つの副梁部７が使用されている。
【００３７】
小梁部１０は、副梁部７と同様、２本の主梁部５ａ、５ｂを繋ぐものであり、第１主梁１２に接続される第１小梁１７と、第２主梁１３に接続される第２小梁１８とを有する。
【００３８】
第１小梁１７は、細長い長尺体たる第１小梁形成体２５により構成されている。第１小梁形成体２５は、その長手方向長さの全長（単に、全長という）が、副梁部７とほぼ同一の長さとなるように設計されている。そして、本実施形態では、第１小梁形成体２５は、その部材厚が主梁部５や副梁部７よりも薄くされ、またその幅は主梁部５や副梁部７よりも狭くされている。
なお、本実施形態では、１つの水処理施設用覆蓋１に対して、３本の第１小梁１７が使用されている。
【００３９】
第２小梁１８は、第１小梁１７と同様、細長い長尺体たる第２小梁形成体２６により構成されている。第２小梁形成体２６は、その長手方向長さの全長（単に、全長という）が、副梁部７とほぼ同一の長さとなるように設計されている。そして、本実施形態では、第２小梁形成体２６は、その部材厚が主梁部５や副梁部７よりも薄くされ、またその幅は主梁部５や副梁部７よりも狭くされている。
なお、本実施形態では、１つの水処理施設用覆蓋１に対して、１３本の第２小梁１８が使用されている。
【００４０】
補強梁部１１は、主梁部５を補強するものであり、細長い長尺体たる補強梁形成体１６により構成されている。補強梁形成体１６は、その長手方向長さの全長（単に、全長という）が、主梁部５の第１主梁１２とほぼ同一の長さとなるように設計されている。そして、本実施形態では、補強梁形成体１６は、その部材厚が主梁部５や副梁部７よりも薄くされ、またその幅は主梁部５や副梁部７よりも狭くされている。
なお、本実施形態では、１つの水処理施設用覆蓋１に対して、２本の補強梁部１１が使用されている。
【００４１】
続いて、本実施形態の水処理施設用覆蓋１を構成する各部材の位置関係について説明する。
本実施形態の水処理施設用覆蓋１は、図２に示すように、支持体たる梁部材３上に、２枚の天板２が固定されている。具体的には、図４に示すように、２枚の天板２は、上向き方向に山形状の第２主梁１３の上部において、その姿勢に沿うように配されている。すなわち、２枚の天板２のうちの一方（天板２ａ）を、第２主梁形成体２１の上部に配し、他方（天板２ｂ）を第２主梁形成体２２の上部に配している。そして、この２枚の天板２は、第２主梁１３上における山形状の姿勢を維持させるべく、図示しないボルト・ナット等の締結要素及び接着剤等を介して、第２主梁形成体２１、２２に固定されている。
【００４２】
一方、その天板２を固定した山形状の第２主梁１３は、山形の頂部を上方に向けた姿勢で第１主梁１２に固定されている。すなわち、第２主梁１３は、その長手方向側面の一部を、第１主梁１２の長手方向側面に当接した状態で、第１主梁１２に固定されている。より詳細には、第２主梁１３は、長手方向両端部側の上端を、第１主梁１２の上端と同一の高さ位置に合わせ、当該第２主梁１３の長手方向中途の部分が第１主梁１２の上端から上方に露出するような姿勢にし、そして第１主梁１２の長手方向側面に当接した部分において面接合されている。すなわち、主梁部５は、第１主梁１２と第２主梁１３の側面同士を面接合して形成されたものであり、第１主梁１２を土台として機能させることができる構造である。つまり、主梁部５は、所謂単純梁構造であり、第１主梁１２の長手方向を水平にし、その状態の第１主梁１２の上部に、山形状の傾斜を設けた構成である。
なお、この第１主梁１２と第２主梁１３とを面接合するための手段としては、所定の接着剤が使用されている。
【００４３】
そして、このようにして形成された単純梁構造を備えた２組の主梁部５ａ、５ｂが、図６に示すように、その長手方向側面側が向き合うような姿勢で、一定距離離間して配されている。そして、図２、４に示すように、その２つの主梁部５ａ、５ｂの長手方向両端部のそれぞれに、副梁部７ａ、７ｂを配し、両者を接着剤等で接合している。すなわち、２つの副梁部７ａ、７ｂは、２つの主梁部５ａ、５ｂの対向方向と直交する方向に対向した姿勢で、主梁部５ａ、５ｂに固定されている。
【００４４】
こうして、主梁部５と副梁部７の４面で囲繞された囲繞空間Ｓが形成され、その囲繞空間Ｓ内に小梁部１０及び補強梁部１１とが配されて固定されている。具体的には、小梁部１０たる３本の第１小梁１７と１３本の第２小梁１８が、図７、８に示すように、その長手方向が主梁部５の長手方向と直交する姿勢で配され、補強梁部１１が、図９に示すように、その長手方向が主梁部５の長手方向と平行になるように配されている。
【００４５】
より詳細には、３本の第１小梁１７ａ〜１７ｃは、図１０に示すように、主梁部５の長手方向に等間隔で並べられており、そのうちの１つの第１小梁１７ｂは、主梁部５の長手方向のほぼ中央に固定されている。また、各第１小梁１７ａ〜１７ｃは、主梁部５の下部側であって、第１主梁１２に接続されている。つまり、本実施形態では、３本の第１小梁１７ａ〜１７ｃは、第１主梁１２の長手方向中央に配された第１小梁１７ｂを基準に、第１主梁１２の長手方向一方の端部側に１つ（第１小梁１７ａ）配され、第１主梁１２の長手方向他方の端部側に別の１つ（第１小梁１７ｃ）が配されている。そして、各第１小梁１７ａ〜１７ｃは、図７に示すように、その両端部を対向姿勢の第１主梁１２の内側側面に突き合わせて、接着剤等を用いて、第１主梁１２に接合されている。
【００４６】
１３本の第２小梁１８ａ〜１８ｍは、図１０に示すように、主梁部５の長手方向に等間隔（第１小梁１７ａ〜１７ｃの間隔よりも小さい）で並べられており、そのうちの１つの第２小梁１８ｇは、主梁部５の長手方向のほぼ中央に固定されている。また、各第２小梁１８ａ〜１８ｍは、主梁部５の上部側であって、第２主梁１３に接続されている。つまり、本実施形態では、１３本の第２小梁１８ａ〜１８ｍは、第２主梁１３の長手方向中央に配された第２小梁１８ｇを基準に、第２主梁１３の長手方向一方の端部側に６つの第２小梁１８ａ〜１８ｆが等間隔で配され、第２主梁１３の長手方向他方の端部側に別の６つの第２小梁１８ｈ〜１８ｍが等間隔で配されている。そして、各第２小梁１８ａ〜１８ｍは、図８に示すように、その両端部を対向姿勢の第２主梁１３の内側側面に突き合わせて、接着剤等を用いて、第２主梁１３に接合されている。
なお、本実施形態では、第２主梁１３に接合された各第２小梁１８ａ〜１８ｍは、その上端が第２主梁１３の上端とほぼ同一面上となる位置に設定されている。
【００４７】
また、補強梁部１１は、図９、１０に示すように、主梁部５の下部側であって、その主梁部５の長手方向に内側側面に沿わすようにして固定されている。すなわち、補強梁部１１は、その長手方向を、第１主梁１２の長手方向に沿わした状態で配し、接着剤等を用いて、当該第１主梁１２の内側側面に接合されている。より具体的には、補強梁部１１は、その部材の幅方向端部を第１主梁１２の内側側面に接合している。
【００４８】
以上のように、本実施形態では、ほぼ水平方向に延びた第１主梁１２に、山形状に傾斜した第２主梁１３を支持させ、その第２主梁１３に天板２を固定した構成にしたため、第２主梁１３及び天板２の自重等によって働く水平方向の分力（水平分力）を、全て第１主梁１２に作用させることができる。つまり、本実施形態の水処理施設用覆蓋１は、外部に水平分力を作用させない構成であるため、第１主梁１２のみで形成された単純梁構造と同様の構造とみなすことができる。そして、本実施形態では、単純梁構造でありつつも、第２主梁１３で形成した天板２の傾斜部を確保することができる。このため、本実施形態によれば、天板２に撓みが発生したとしても、第２主梁１３の傾斜に沿うようにして、堆積し得る土砂等を除去することができるため、土砂等によって外観を損なうことがない。さらに、本実施形態では、従来の山形状の覆蓋のように、水槽３０への設置に際して、水平分力を考慮する必要性がないため、設置の手間が殆ど発生しない。
【００４９】
上記実施形態では、第２主梁１３を、長手方向側面を対向するように配置した第１主梁１２の内側に配置した構成を示したが、本発明はこれに限定されず、第２主梁１３を、長手方向側面を対向するように配置した第１主梁１２の外側に配置しても構わない。
【００５０】
上記実施形態では、複数の水処理施設用覆蓋１を用いて、１つの水槽３０の開口部３１を閉塞できる水処理施設用覆蓋１の構成を示したが、本発明はこれに限定されず、１つの水槽の開口部を、１つの水処理施設用覆蓋で閉塞できる構成であっても構わない。
【００５１】
上記実施形態では、第２主梁１３は、第２主梁形成体２１、２２の長手方向端部を単に突き合わせて接着剤で接合した構成を示したが、本発明はこれに限定されず、接着剤に替えてあるいは加えて、板状の継ぎ目補強材を用いて、第２主梁形成体２１、２２同士を接合した構成であっても構わない。この構成によれば、第２主梁形成体２１、２２との継ぎ目に、せん断力が掛かったとしても、継ぎ目補強材が対抗できるため、一定以上のせん断力に対する強度を付与することができる。
【００５２】
上記実施形態では、ＦＦＵによって形成された水処理施設用覆蓋１の構成を示したが、本発明はこれに限定されず、ＦＦＵ以外の材料、つまり木材や、その他の樹脂（カーボン製の樹脂等）によって形成された水処理施設用覆蓋の構成であっても構わない。
【００５３】
上記実施形態では、第１主梁１２と第２主梁１３とを接着剤によって面接合した構成を示したが、本発明はこれに限定されず、接着剤に加えてあるいは替えて、ボルト・ナットや結束バンド等を、第１主梁１２と第２主梁との接合手段として使用しても構わない。
【符号の説明】
【００５４】
１    水処理施設用覆蓋
２    天板
３    梁部材
５    主梁部
７    副梁部
１０    小梁部
１１    補強梁部
１２    第１主梁
１３    第２主梁
１７    第１小梁
１８    第２小梁
２１    第２主梁形成体（板状部材）
２２    第２主梁形成体（板状部材）
２５    第１小梁形成体
２６    第２小梁形成体
３０    水槽
３１    開口部
【図１】
2014079720.tif 000003
【図２】
2014079720.tif 000004
【図３】
2014079720.tif 000005
【図４】
2014079720.tif 000006
【図５】
2014079720.tif 000007
【図６】
2014079720.tif 000008
【図７】
2014079720.tif 000009
【図８】
2014079720.tif 000010
【図９】
2014079720.tif 000011
【図１０】
2014079720.tif 000012